(57)【特許請求の範囲】
【請求項１】
先方に筆記部を備えた先軸の後端に配設されたキャップの内孔に螺旋溝を備え、螺旋溝の後端に開口した消しゴム出没の孔が、螺旋溝の前端には凹溝が形成され、キャップの内孔に後端まで開口したスリットと、前方に軸部を有した内筒が挿入されて、内筒の後端部が上記消しゴム出没の孔の略後端まで位置して、内筒がキャップに対して回転自在で抜け止めされ、内筒の内孔部には後方に消しゴムを挟着する弾性片を有し、前方の筒部の側面に突起を有した消しゴムホルダーが前後動可能で、突起と弾性片を夫々上記スリットに、突起は更に螺旋溝に嵌入させて、内筒の軸部を先軸と回転方向で一体に接合して、先軸に対してキャップを回転したときに消しゴムホルダーが後退して消しゴムがキャップの後端から出没可能と成した繰り出し式の消しゴム装置に於いて、当該繰り出し式の消しゴム装置は、上記内筒のスリットの後端に傾斜面と前端に段部を有した突部が形成され、更に消しゴムホルダーの弾性片に段部を設けて後方をやや細巾に形成して、消しゴムホルダーは内筒の突部の段部に弾性片の段部が当接して抜け止めされ、消しゴムホルダーの後退限で、上記弾性片の細巾部がキャップの後端から適宜突出状態となるように構成されたことを特徴とする繰り出し式の消しゴム装置。
【発明の詳細な説明】
【０００１】
【産業上の利用分野】
本発明は、筆記具の後端に配設され、回転することで消しゴムを繰り出すようにした所謂繰り出し式の消しゴム装置の改良に関する。
【０００２】
【従来の技術】
従来、先軸に対しキャップを回転させて後端から太径の消しゴムを繰り出し、先軸に対し後端をノックして芯を繰り出すようにしたシャープペンシルが知られている。従来のものは、スリットを有した内筒の後端に大径の天冠部が形成されており、スリットより内筒内に側面に突起を有した消しゴムホルダーが嵌装される。キャップは後端より内孔に螺旋溝を有し、前端内孔には段部が設けられている。キャップの後端より、内筒は適宜回転させながら消しゴムホルダーの突起を螺旋溝に嵌装させて挿入され、天冠部の前端をキャップの後端に当接させた状態で内筒前方の軸部側面に設けた弾性可能な突起をキャップ内孔の段部に係止させるか、リングを軸部に圧入固着して段部に係止させ、キャップを天冠部と段部の間で挟着してキャップに対して内筒を回転自在で抜け止めする。又、消しゴムは消しゴムホルダーの後端に止着されるが、このとき消しゴムホルダーは、殆ど螺旋溝の後端に位置している為に、内筒に対してキャップを回転して消しゴムをキャップ内に没入させる必要がある。従って、組立に時間が懸かり過ぎる問題がある。又、自動機械で組立てる際に工程が複雑になる問題がある。又、消しゴムホルダーの後退限で弾性片の後端がスリットの後端（天冠部の前端）に当接するので消しゴムの終焉状態が判らない不便さと、消しゴムをぎりぎり迄使用した時に消しゴムの残部を除きにくい問題が存在する。
【０００３】
【発明が解決しようとする課題】
本発明は、前記従来例の組立て性の問題点を解決することを第１の目的とし、第２の目的は、消しゴムの消耗と共に消しゴムホルダーがキャップの後退限まで達したときに、消しゴムを挟着する弾性片がキャップの後端から突出して、消しゴムの使用限界を知らしめると共に消しゴムの保持を解除して新しい消しゴムの装着を容易化することにある。
【０００４】
【課題を解決するための手段】
上記目的を達成する為に案出された本発明の繰り出し式の消しゴム装置は、キャップの内孔に螺旋溝を備え、螺旋溝の後端に開口した消しゴム出没の孔が、螺旋溝の前端には凹溝が形成され、キャップの内孔に後端まで開口したスリットと、前方に軸部を有した内筒が挿入されて、内筒の後端部が上記消しゴム出没の孔の略後端まで位置して、内筒がキャップに対して回転自在で抜け止めされ、内筒の内孔部には後方に消しゴムを挟着する弾性片を有し、前方の筒部の側面に突起を有した消しゴムホルダーが前後動可能で、突起と弾性片を夫々上記スリットに、突起は更に螺旋溝に嵌入させて、内筒の軸部を先軸と回転方向で一体に接合して、先軸に対してキャップを回転したときに消しゴムホルダーが後退して消しゴムがキャップの後端から出没可能と成した繰り出し式の消しゴム装置に於いて、上記内筒のスリットの後端に傾斜面と前端に段部を有した突部が形成され、更に消しゴムホルダーの弾性片に段部を設けて後方をやや細巾に形成して、消しゴムホルダーは突部の弾性変形により突部の段部に弾性片の段部が当接して抜け止めされ、消しゴムホルダーの後退限で、上記弾性片の細巾部がキャップの後端から適宜突出状態となるように構成されたことを特徴とする。
【０００５】
【実施例】
図１乃至図５は本発明の実施例を示している。先ず、繰り出し式の消しゴム装置は、キャップ４、内筒１１、消しゴムホルダー１８の部材を組み合わせて構成され、キャップ４は先方に先軸１の後端外周に被嵌する内孔６と凹溝７を有し、凹溝７の後方に螺旋溝５が形成され、螺旋溝５の後端に開口した消しゴム出没の孔１０が設けられている。又、キャップ４の外周側面にクリップ基部８で接続されてクリップ９が設けられている。
【０００６】
内筒１１は、消しゴム２３を挿通する孔部と共に略中央から後端部１３に向けて長いスリット１２が穿設されている。又、スリット１２の後端には傾斜面２５とその前端に段部２６を有した突部２４が形成されている。又、前方には先軸１の後端孔に回転方向で一体に係合する軸部１４を有し、軸部１４の内孔にはシャープペンシルの芯ケース３の外周部が適宜に止着され、更に、芯ケース３の後端に当接する仕切り部１７が設けられている。又、軸部１４の後方外周には前記キャップの凹溝７に弾性的に嵌入する鍔部１５が設けられている。
【０００７】
又、消しゴムホルダー１８は後方に消しゴム２３の後端を挟着する一対の弾性片２０が形成され、弾性片２０には段部２０ａを設けて後方をやや細巾と成している。又、その細巾部位の内面には消しゴム２３の外面に適宜食い込む係止突起２１が形成されている。又、前方の筒部２２の側面には弾性片２０と同軸上で一対の突起１９が設けられている。（図４参照）
【０００８】
内筒１１の内孔部に、スリット１２の後端より消しゴムホルダー１８を嵌装して、前記突部２４を弾性的に拡開させて突起１９と弾性片２０をスリット内に嵌入させると共に、消しゴムホルダー１８の後端に消しゴム２３が止着され、内筒１１をキャップ４の前端から挿入して鍔部１５を弾性変形によりキャップの凹溝７に嵌入させる。又、この時、消しゴムホルダー１８の前端は内筒１１のスリット前端の段部１６に当接した状態で突起１９が螺旋溝５に嵌入される。（尚、正確には内筒を先軸に止着した時に先軸に対してキャップを若干回転して突起と螺旋溝が迎合する。）以上により内筒１１はキャップ４に対して回転自在で抜け止めされ、内筒１１の軸部１４が先軸１の後端孔に回転止めされると共に芯ケース３に止着される。
【０００９】
ところで、前記先軸１の前方には芯ケース３の前後動と連動して芯を繰り出すように成されたシャープペンシルの筆記体要素が配設されている。その構造については本発明の要旨ではないので説明を省略する。又、本実施例ではシャープペンシル筆記具の後端に配設された繰り出し式の消しゴム装置を示したが、筆記具としては後端のノックにより筆記先端部が軸先より出没するボールペンも適用される。その時には消しゴムの代わりにボールペンインキを消字可能とする固形の修正剤等が取付けられる。又、ゴムラテックス系の消せるボールペンとした場合には消しゴムが取付けられる。
【００１０】
ところで、本発明の実施例に於いては、内筒の鍔部１５をキャップの凹溝７に弾性変形により係合させて、内筒１１をキャップ４に対し回転のみ自在に支持しているが、内筒又はキャップの内孔にリング部材を止着して同様に構成することも可能である。
【００１１】
又、図５は消しゴムホルダーの他の形態を示している。当該消しゴムホルダー３０は、筒部３４の側面に弾性片３２と同軸上に一対の突起３１が設けられている。又、筒部３４は軸方向の略中央で割り部３６を有し、前面のヒンジ部３５で接合された二つ割り形状となっている。又、弾性片３２には段部３２ａとその前方をやや細巾となしている。又、細巾部位の内側には係止突起３３が形成されている。二つ割りとした理由は当該部材の樹脂成形を容易にしたことである。尚、ヒンジ接合にこだわらず二つ割り部材を相互の要部に係止部を設けて固着することも可能である。
【００１２】
【作用】
先ず、先軸１に対しキャップ４を左右に回転すると消しゴム２３がキャップ４の後端孔から出没する。消しゴム２３を没入した状態でキャップ４の後端をノックすれば芯を繰り出すことができる。消しゴムが消耗して、消しゴムホルダー１８がキャップ４の後退限に達した時には弾性片２０の段部２０ａが内筒後端の突部２４の段部２６が当接して、図２に示すように弾性片２０（細巾部位）がキャップ４の後端から適宜突出状態となって消しゴムの終焉状態を知らせると共に、消しゴム２３の保持（係止突起２１による消しゴムの挟着）が解除可能となり、新しい消しゴムを差し変える。
【００１３】
【発明の効果】
本発明の繰り出し式の消しゴム装置の構成及び作用は以上の如くであり、一方方向から部材の組み込み及び取付けができ、組立の手順が簡略化されるのでコストダウンが可能となる。特に、自動機械で組立てる際には工程が単純化するので一層の効果がある。又、消しゴムホルダーの後退限で弾性片がキャップの後端から適宜突出するので消しゴムの使用限界が判り、且つ、消しゴムの挟持状態が解除されるので新しい消しゴムの交換が容易化する。
【図面の簡単な説明】
【図１】本発明の実施例である繰り出し式の消しゴム装置を示した要部の縦断面図で、消しゴムが適量突出した状態となっている。
【図２】消しゴムの交換時の状態を示す要部の縦断面図である。
【図３】本実施例に使用される内筒のスリットと後端の突部を示した図である。
【図４】本実施例に使用される消しゴムホルダーの斜視図である。
【図５】消しゴムホルダーの他の形態例を示した斜視図である。
【符号の説明】
１  先軸
２  内孔
３  芯ケース
４  キャップ
５  螺旋溝
６  内孔
７  凹溝
８  クリップ基部
９  クリップ
１０  孔
１１  内筒
１２  スリット
１３  後端部
１４  軸部
１５  鍔部
１６  段部
１７  仕切り部
１８  消しゴムホルダー
１９  突起
２０  弾性片
２０ａ  段部
２１  係止突起
２２  筒部
２３  消しゴム
２４  突部
２５  傾斜面
２６  段部
３０  消しゴムホルダー
３１  突起
３２  弾性片
３２ａ  段部
３３  係止突起
３４  筒部
３５  ヒンジ部
３６  割り部
【図１】
0003665089.tif 000002
【図２】
0003665089.tif 000003
【図３】
0003665089.tif 000004
【図４】
0003665089.tif 000005
【図５】
0003665089.tif 000006